(57)【要約】【課題】エンターテイメント性に優れた新規な画像表示装置を提供する。【解決手段】少なくとも一つのプロジェクターと、前記少なくとも一つのプロジェクターから投影された画像において、第１の円偏光からなる第１の画像及び前記第１の円偏光と向きが異なる第２の円偏光からなる第２の画像を得るための少なくとも一つの円偏光フィルタと、前記第１の円偏光及び前記第２の円偏光を維持した状態で、前記第１の画像及び前記第２の画像を表示する、画像表示体とを具え、観察者が裸眼の場合において、前記観察者は前記画像表示体上に表示された前記第１の画像及び前記第２の画像の合成画像を観察し、前記観察者が前記第１の円偏光又は前記第２の円偏光を透過する偏光板からなる眼鏡を使用した際に、前記第１の画像又は前記第２の画像を観察するように、画像表示装置を構成する。【選択図】図１
2011081216.tif 000002
【特許請求の範囲】
【請求項１】
少なくとも一つのプロジェクターと、
前記少なくとも一つのプロジェクターから投影された画像において、第１の円偏光からなる第１の画像及び前記第１の円偏光と向きが異なる第２の円偏光からなる第２の画像を得るための少なくとも一つの円偏光フィルタと、
前記第１の円偏光及び前記第２の円偏光を維持した状態で、前記第１の画像及び前記第２の画像を表示する、画像表示体とを具え、
観察者が裸眼の場合において、前記観察者は前記画像表示体上に表示された前記第１の画像及び前記第２の画像の合成画像を観察し、
前記観察者が前記第１の円偏光又は前記第２の円偏光を透過する偏光板からなる眼鏡を使用した際に、前記第１の画像又は前記第２の画像を観察するように構成したことを特徴とする、画像表示装置。
【請求項２】
前記第１の画像又は前記第２の画像を、前記第２の画像又は前記第１の画像に対するマスク画像として構成し、前記第２の画像又は前記第１の画像を前記マスク画像に対する隠し画像として構成する画像生成装置を具え、
前記観察者は、前記眼鏡を使用した際に前記隠し画像を観察することを特徴とする、請求項１に記載の画像表示装置。
【請求項３】
前記合成画像は、前記第１の画像及び前記第２の画像が互いに相殺されて、白色画像として構成されることを特徴とする、請求項１又は２に記載の画像表示装置。
【請求項４】
前記合成画像は、二次元的な画像情報を有する平面画像であることを特徴とする、請求項１又は２に記載の画像表示装置。
【請求項５】
前記少なくとも一つのプロジェクターは第１のプロジェクター及び第２のプロジェクターであり、前記少なくとも一つの円偏光フィルタは、前記第１のプロジェクターの画像投影方向の前方に配置される第１の円偏光フィルタ及び前記第２のプロジェクターの画像投影方向の前方に配置される第２の円偏光フィルタであって、
前記第１の円偏光フィルタは前記第１のプロジェクターから投影される画像の、前記第１の円偏光を透過させて前記第１の画像を得、前記第２の円偏光フィルタは前記第２のプロジェクターから投影される画像の、前記第２の円偏光を透過させて前記第２の画像を得ることを特徴とする、請求項１〜４のいずれか一に記載の画像表示装置。
【請求項６】
前記少なくとも一つのプロジェクターは単一のプロジェクターであり、前記少なくとも一つの円偏光フィルタは単一の円偏光フィルタであって、
前記単一の円偏光フィルタにおいて透過させるべき前記第１の円偏光及び前記第２の円偏光の切り替えを制御するための偏光切替制御信号を生成し、この偏光切替制御信号を前記単一の円偏光フィルタへ送信するための偏光切替手段を具えることを特徴とする、請求項１〜４のいずれか一に記載の画像表示装置。
【請求項７】
前記画像生成装置はフレーム信号を生成し、前記第１の画像に関する第１の画像信号及び前記第２の画像に関する第２の画像信号は、前記フレーム信号の、それぞれ異なるフレームに重畳されて、前記単一のプロジェクターに送信されることを特徴とする、請求項６に記載の画像表示装置。
【請求項８】
前記偏光切替手段は、前記偏光切替制御信号を、前記フレーム信号の前記フレームに重畳された、前記第１の画像及び前記第２の画像それぞれに対応させて前記単一の円偏光フィルタへ送信することを特徴とする、請求項７に記載の画像表示装置。
【請求項９】
前記単一のプロジェクターが所定の画像信号を受信した後、前記画像表示体に向けて前記第１の画像及びは前記第２の画像を投影するまでの遅延と、前記単一の円偏光フィルタにおける前記第１の円偏光及び前記第２の円偏光の切り替えとを同期させるための遅延／偏光切替同期手段を具えることを特徴とする、請求項６〜８のいずれか一に記載の画像表示装置。
【請求項１０】
前記遅延は、前記単一のプロジェクターと前記画像表示体との間に設けられた光センサによる、前記第１の画像又は前記第２の画像の検出に基づいて計測することを特徴とする、請求項９に記載の画像表示装置。
【請求項１１】
前記少なくとも一つのプロジェクターはＤＬＰ式プロジェクターであることを特徴とする、請求項１〜１０のいずれか一に記載の画像表示装置。
【発明の詳細な説明】
【技術分野】
【０００１】
本発明は、画像表示装置に関する。
【背景技術】
【０００２】
近年、各種イベント、会議および研究発表の場などで、多数の視聴者に所定のコンテンツに関する画像を拡大して見せるときに、画像の拡大表示に適したプロジェクターと、スクリーンとを用いた画像表示装置が広く用いられてきている。
【０００３】
この種の画像表示装置としては、明るくかつ鮮明な画像を投映できることが求められることから、外乱光の影響を無くして画像のコントラストを良くするために、画像表示を行う度に、照明の消灯および窓のカーテン等により、部屋全体を暗くするようにしている。しかしながら、画像表示の度に、消灯したり、窓のカーテンを引いたりすることは、煩雑な作業であるとともに、視聴者の画像観察の集中度を低下させるという問題がある。
【０００４】
かかる問題に鑑みて、プロジェクターから投影された偏光画像が表示されるスクリーン上に、偏光画像の振動面に平行な透過軸方向をもつ偏光フィルタを貼り付けた構成とし、入射される外乱光を偏光フィルタで減光して外乱光の影響を減らすと共に、偏光画像を減光することなく拡大表示するような技術が開発されている。
【０００５】
しかしながら、このような従来の画像表示装置においては、１つのスクリーン上において１つの平面画像を投影できるのみである。したがって、特に各種イベントにおいて、イベントの概要や製品の特徴等を、画像表示を利用して説明する際に、来客者に対して、コンテンツ以上のものを付与できるものではなく、来客者に対して特に強いインパクトを与えることができない。
【０００６】
このため、来客者が当該イベントの内容等に特別に興味を持っている場合は別として、前記イベントの内容等にさほど大きな関心を有しない来客者は、前記イベントの内容を何ら知らないままに、そのまま数通りしてしまう場合がある。
【０００７】
このような観点から、画像表示においてもエンターテイメント性を持たせ、コンテンツに興味のある来客者のみでなく、当初はコンテンツにさほど魅力を感じていない来客者に対しても強いインパクトを与え、当該コンテンツに触れてもらい、何らかの興味を持ってもらうことができるような、エンターテイメント性に富んだ、新規な画像表示装置の開発が望まれている。
【先行技術文献】
【特許文献】
【０００８】
【特許文献１】特開平５−２６５０９４号
【発明の概要】
【発明が解決しようとする課題】
【０００９】
本発明は、上述した問題を解決するためになされたものであり、エンターテイメント性に優れた新規な画像表示装置を提供することを目的とする。
【課題を解決するための手段】
【００１０】
本発明は、
少なくとも一つのプロジェクターと、
前記少なくとも一つのプロジェクターから投影された画像において、第１の円偏光からなる第１の画像及び前記第１の円偏光と向きが異なる第２の円偏光からなる第２の画像を得るための少なくとも一つの円偏光フィルタと、
前記第１の円偏光及び前記第２の円偏光を維持した状態で、前記第１の画像及び前記第２の画像を表示する、画像表示体とを具え、
観察者が裸眼の場合において、前記観察者は前記画像表示体上に表示された前記第１の画像及び前記第２の画像の合成画像を観察し、
前記観察者が前記第１の円偏光又は前記第２の円偏光を透過する偏光板からなる眼鏡を使用した際に、前記第１の画像又は前記第２の画像を観察するように構成したことを特徴とする、画像表示装置に関する。
【００１１】
本発明によれば、画像表示体上に、第１の円偏光からなる第１の画像及び第２の円偏光からなる合成画像を投影し、表示するようにしているので、観察者が、裸眼で画像表示体を観察した場合においては、上記合成画像をそのまま見ることができ、例えば第１の円偏光を透過する偏光板からなる眼鏡を用い、この眼鏡を介して画像表示体を見た場合においては、上記合成画像を構成し、眼鏡と同じ円偏光を有する第１の画像のみを見ることができる。したがって、観察者は、眼鏡の使用の有無によって、上記画像表示体上、すなわち同一の画像表示体の同一箇所で、合成画像及び第１の画像の２種類の画像を見ることができる。
【００１２】
また、観察者が、第２の円偏光を透過する偏光板からなる眼鏡を用いた場合は、第２の画像を見ることができる。したがって、この場合において、観察者は、眼鏡の使用の有無によって、上記画像表示体上、すなわち同一の画像表示体の同一箇所で、合成画像及び第２の画像の２種類の画像を見ることができる。したがって、エンターテイメント性に優れた画像表示装置を提供することができる。
【００１３】
前者の場合、観察者は眼鏡を用いた場合において第１の画像を観察することができるが、眼鏡を用いない場合においては第１の画像を観察することはできず、合成画像のみを観察することができるので、第２の画像は第１の画像に対していわゆるマスク画像として機能する。この場合、第１の画像はいわゆる隠し画像を構成する。
【００１４】
また、後者の場合、観察者は眼鏡を用いた場合において第２の画像を観察することができるが、眼鏡を用いない場合においては第２の画像を観察することはできず、合成画像のみを観察することができるので、第１の画像は第２の画像に対していわゆるマスク画像として機能する。この場合、第２の画像はいわゆる隠し画像を構成する。
【００１５】
なお、いずれの場合においても、合成画像は裸眼で観察することができるので、いわゆる裸眼画像を構成する。
【００１６】
上述のように、隠し画像及びマスク画像を構成する第１の画像及び第２の画像は、上記プロジェクターの後方において設けられた画像生成装置において所定の演算処理を行うことによって得る。詳細については後に説明する。
【００１７】
本発明の一態様において、上記合成画像は、前記第１の画像及び前記第２の画像が互いに相殺されてなる白色画像とすることができる。この場合、観察者は、一見、何らの画像も表示されていない画像表示体上に、上述のような眼鏡を介して観察することにより、突如として第１の画像又は第２の画像からなる隠し画像を見ることになるので、非日常的な驚きと楽しみとを見出すことができ、上記画像表示装置のエンターテイメント性をより楽しむことができる。
【００１８】
また、本発明の一態様においては、前記合成画像は、二次元的な画像情報を有する平面画像とすることができる。この場合、観察者は、所定の平面画像が表示された画像表示体上において、上述のような眼鏡を介して観察することにより、突如として第１の画像又は第２の画像からなる隠し画像を見ることになるので、非日常的な驚きと楽しみとを見出すことができ、上記画像表示装置のエンターテイメント性をより楽しむことができる。
【００１９】
なお、上述した画像はプロジェクターから投影されたものであるので、一般的には、２次元的な画像、いわゆる平面画像である。一方、画像表示体は、第１の画像及び第２の画像の偏光状態を維持することができれば、スクリーン等の平面的な形態であってもよいし、３次元的な構造物であってもよい。
【００２０】
また、上述したいずれの画像も、静止画像とすることもできるし、動画像とすることもできる。
【発明の効果】
【００２１】
以上説明したように、本発明によれば、エンターテイメント性に優れた新規な画像表示装置を提供することができる。
【図面の簡単な説明】
【００２２】
【図１】第１の実施形態の画像表示装置を示す概略構成図である。
【図２】図１に示す画像表示装置において、隠し画像及びマスク画像を生成するためのシステム構成図である。
【図３】第２の実施形態の画像表示装置を示す概略構成図である。
【図４】図３に示す画像表示装置において、隠し画像及びマスク画像を生成するためのシステム構成図である。
【図５】第２の実施形態の画像表示装置における、隠し画像及びマスク画像に対する円偏光フィルタの切替動作の具体例を説明するための図である。
【図６】第２の実施形態の画像表示装置における、隠し画像及びマスク画像に対する円偏光フィルタの切替動作の具体例を説明するための図である。
【発明を実施するための最良の形態】
【００２３】
以下、本発明の詳細、並びにその他の特徴及び利点について、実施形態に基づいて説明する。
【００２４】
（第１の実施形態）
図１は、第１の実施形態の画像表示装置を示す概略構成図であり、図２は、図１に示す画像表示装置において、第１の画像及び第２の画像、すなわち隠し画像及びマスク画像を生成するためのシステム構成図である。
【００２５】
図１に示すように、本実施形態の画像表示装置１０は、第１のプロジェクター１１及び第２のプロジェクター１２と、第１のプロジェクター１１の画像投影方向の前方において配置された第１の円偏光フィルタ１３及び第２のプロジェクター１２の画像投影方向の前方において配置された第２の円偏光フィルタ１４と、これら円偏光フィルタに対し、画像投影方向の前方に配置された画像表示体としてのスクリーン１７とを有している。
【００２６】
なお、第１のプロジェクター１１及び第２のプロジェクター１２は、これらプロジェクターから投影される画像をスクリーン１７上で合成させるために、互いに平行ではなく所定の角度をなすようにして配置されている。すなわち、スクリーン１７側に向けて互いに傾斜するようにして配置されている。このように、本実施形態の画像表示装置１０は、重ね打ち方式の画像表示装置を構成している。
【００２７】
また、図２に示すように、第１のプロジェクター１１及び第２のプロジェクター１２の、画像投影方向の後方側には画像生成装置１８が配置されている。画像生成装置１８には、例えば展示コンテンツプログラム１８１及び画像生成部１８２が内蔵されている。
【００２８】
第１のプロジェクター１１及び第２のプロジェクター１２は、ＤＬＰ式のプロジェクターを用いる。液晶式のプロジェクターを用いた場合は、フレーム切替を十分に行うことができない。
【００２９】
次に、図１及び図２に示す画像表示装置１０を用いた画像表示方法について説明する。なお、以下では、第１のプロジェクター１１から隠し画像Ａを投影し、第２のプロジェクター１２からマスク画像Ｃを投影する場合について説明する。但し、当然に両者を逆転することもできる。また、第１の円偏光フィルタ１３は左円偏光フィルタとして機能し、第２の円偏光フィルタ１４は右円偏光フィルタとして機能するものとする。但し、当然に両者を逆転することもできる。
【００３０】
最初に、図２に示すように、画像生成装置１８の展示コンテンツプログラム１８１より、隠し画像Ａ及び裸眼画像Ｂを抽出し、画像生成部１８２へ送信する。マスク画像Ｃは、隠し画像Ａのネガポジ反転画像として得ることができるので、画像生成部１８２では、例えば隠し画像Ａの画像情報（信号）をＰａ、裸眼画像Ｂの画像情報（信号）をＰｂとした場合に、マスク画像Ｃの画像情報（信号）Ｐｃは、Ｐｃ＝Ｐｂ−Ｐａとして得ることができる。
【００３１】
なお、隠し画像Ａは、観察者が所定の円偏光板からなる眼鏡を介して観察した場合に見ることができる画像であり、裸眼画像Ｂは、観察者が上記眼鏡を介さずに直接観察した場合に見ることができる画像である。マスク画像Ｃは、裸眼画像Ｂ中に含まれる隠し画像Ａを、上記眼鏡を介して見ることができるという観点より、いわゆる隠し画像Ａをマスクして隠す機能を有する画像として定義することができる。
【００３２】
隠し画像Ａ及びマスク画像Ｃは表裏一体であって、観察者が上記円偏光板と偏光の向きが異なる円偏光板の眼鏡を介して観察した場合は、マスク画像Ｃが観察されることになるので、マスク画像Ｃは隠し画像Ｃとなり、隠し画像Ａはマスク画像Ａとなる。
【００３３】
次に、隠し画像Ａ及び画像生成手段１８２で生成されたマスク画像Ｃは、それぞれ第１のプロジェクター１１及び第２のプロジェクター１２に送信される。その後、第１のプロジェクター１１からは隠し画像Ａが投影され、第１の円偏光フィルタ１３を介して隠し画像Ａの内の左円偏光のみが透過してスクリーン１７上に表示されるようになる。一方、第２のプロジェクター１２からはマスク画像Ｃが投影され、第２の円偏光フィルタ１４を介してマスク画像Ｃの右円偏光のみが透過してスクリーン１７上に表示されるようになる。
【００３４】
この結果、スクリーン１７上には、隠し画像Ａ及びマスク画像Ｃの合成画像、すなわち裸眼画像Ｂが表示されることになる。
【００３５】
したがって、観察者Ｐは、裸眼においてはスクリーン１７上の裸眼画像Ｂを直接見ることができ、第１の円偏光フィルタ１３と同じ左円偏光のみを透過する円偏光板からなる眼鏡１９を介した場合は、スクリーン１７上に表示された裸眼画像Ｂの内、同じ左円偏光である隠し画像Ａのみを見ることができるようになる。また、形状は眼鏡に限らず、下敷きや円偏光フィルタであってもよい。
【００３６】
結果として、観察者Ｐは、眼鏡１９の使用の有無によって、スクリーン１７上に表示された裸眼画像Ｂ及び隠し画像Ａを見ることができる。したがって、画像表示装置１０に対して優れたエンターテイメント性を付与することができる。
【００３７】
なお、裸眼画像Ｂは白色画像とすることができる。この場合、観察者Ｐは、一見、何らの画像も表示されていないスクリーン１７上に、上述のような眼鏡を介して観察することにより、突如として隠し画像Ａを見ることになるので、非日常的な驚きと楽しみとを見出すことができ、画像表示装置１０のエンターテイメント性をより楽しむことができる。この場合、上述した式中のＰｂには、何らの画像情報をも付加しないようにする。
【００３８】
また、裸眼画像Ｂは、所定の二次元的な画像情報を有する平面画像とすることができる。この場合、観察者Ｐは、所定の平面画像が表示されたスクリーン１７上において、眼鏡１９を介して観察することにより、突如として隠し画像Ａを見ることになるので、非日常的な驚きと楽しみとを見出すことができ、画像表示装置１０のエンターテイメント性をより楽しむことができる。
【００３９】
また、上述したいずれの画像も、静止画像とすることもできるし、動画像とすることもできる。
【００４０】
（第２の実施形態）
図３は、第２の実施形態の画像表示装置を示す概略構成図であり、図４は、図３に示す画像表示装置において、第１の画像及び第２の画像、すなわち隠し画像及びマスク画像を生成するためのシステム構成図である。
【００４１】
図３に示すように、本実施形態の画像表示装置２０は、単一のプロジェクター２１と、このプロジェクター２１の画像投影方向の前方において配置された単一の円偏光フィルタ２３と、これら円偏光フィルタに対し、画像投影方向の前方に配置された画像表示体としてのスクリーン２７とを有している。また、円偏光フィルタ２３とスクリーン２７との間には光センサ２５が配置されている。なお、円偏光フィルタ２３は、電圧の印加によって偏光状態、すなわち右円偏光及び左円偏光の切替が可能な液晶素子等、公知の円偏光切替素子から構成することができる。
【００４２】
また、図４に示すように、プロジェクター２１の、画像投影方向の後方側には画像生成装置２８及び制御装置２９が順次に配置されている。画像生成装置２８には、第１の実施形態と同様に、例えば展示コンテンツプログラム２８１及び画像生成部２８２が内蔵されている。制御装置２９には、画像生成装置２８から送信されたフレーム信号を検出するためのフレーム信号検出部２９１及び制御回路部２９２が内蔵されている。
【００４３】
プロジェクター２１は、第１の実施形態の場合と同様に、ＤＬＰ式のプロジェクターを用いる。本実施形態においても、液晶式のプロジェクターを用いた場合は、フレーム切替を十分に行うことができない。
【００４４】
次に、図３及び図４に示す画像表示装置２０を用いた画像表示方法について説明する。
最初に、図４に示すように、画像生成装置２８の展示コンテンツプログラム２８１より、隠し画像Ａ及び裸眼画像Ｂを抽出し、画像生成部１８２へ送信する。画像生成部１８２では、隠し画像Ａに対するマスク画像Ｃを、第１の実施形態と同様に、隠し画像Ａのネガポジ反転画像とし、例えば隠し画像Ａの画像情報（信号）をＰａ、裸眼画像Ｂの画像情報（信号）をＰｂとした場合に、マスク画像Ｃの画像情報（信号）Ｐｃを、Ｐｃ＝Ｐｂ−Ｐａとして得る。
【００４５】
次に、画像生成部１８２からは、フレーム信号とともに隠し画像Ａ（隠し画像信号）及びマスク画像Ｃ（マスク画像信号）がプロジェクター２１に送信される。すなわち、隠し画像Ａ（隠し画像信号）又はマスク画像Ｃ（マスク画像信号）がフレーム毎にプロジェクター２１に送信される。なお、フレーム信号は、例えば６０〜１２０フレーム／秒とすることができる。
【００４６】
一方、制御装置２９のフレーム信号検出部２９１において上記フレーム信号が検出され、制御回路部２９２に送信される。さらに、画像生成部１８２からフレーム識別信号が制御回路部２９２に送信される。
【００４７】
なお、制御回路部２９２からは、受信したフレーム識別信号に応じて、円偏光フィルタ２３の円偏光の状態、すなわち左円偏光及び右円偏光を切り替えるための偏光切替制御信号が送信される。
【００４８】
したがって、プロジェクター２１からは、フレーム信号のフレーム毎に隠し画像Ａ又はマスク画像Ｃが投影されるとともに、円偏光フィルタ２３ではフレームにおける隠し画像Ａ又はマスク画像Ｃに応じて高速で円偏光状態の切替を行う。
【００４９】
例えば、奇数番目のフレームに隠し画像Ａを重畳し、偶数番目のフレームにマスク画像Ｃを重畳した場合を考える。そして、円偏光フィルタ２３の切替によって奇数番目のフレームにおける隠し画像Ａに対しては、円偏光フィルタ２３を右偏光フィルタとして作用させて隠し画像Ａの右偏光のみを透過させ、偶数番目のフレームにおけるマスク画像Ｃに対しては、円偏光フィルタ２３を左偏光フィルタとして作用させてマスク画像Ｃの左偏光のみを透過させるようにする。
【００５０】
この場合、スクリーン２７上には、右偏光の隠し画像Ａ及び左偏光のマスク画像Ｃが時間的に重ね合わせて表示されることになるので、スクリーン２７上にはこれらの合成画像、すなわち裸眼画像Ｂが表示されることになる。このため、観察者Ｐが裸眼でスクリーン２７を観察した場合は、裸眼画像Ｂを観察することになり（図５参照）、観察者Ｐが右円偏光板からなる眼鏡１９をかけてスクリーン２７を観察した場合は、隠し画像Ａを観察することになる（図６参照）。
【００５１】
結果として、観察者Ｐは、眼鏡１９の使用の有無によって、スクリーン２７上に表示された裸眼画像Ｂ及び隠し画像Ａを見ることができるようになる。したがって、画像表示装置２０に対して優れたエンターテイメント性を付与することができる。
【００５２】
但し、上述した隠し画像Ａ及びマスク画像Ｃの重畳方法はあくまで一例であって、必要に応じて適宜に設定することができる。例えば、フレームを２個づつのグループに分け、最初のグループにおける２つのフレームには隠し画像Ａを重畳し、次のグループにおける２つのフレームにはマスク画像Ｃを重畳するようにしてもよい。この場合、円偏光フィルタ２３の切替は、フレームの各グループを一単位として行う。
【００５３】
なお、本実施形態においても、裸眼画像Ｂは白色画像とすることができる。この場合、観察者は、一見、何らの画像も表示されていないスクリーン２７上に、上述のような眼鏡を介して観察することにより、突如として隠し画像Ａを見ることになるので、非日常的な驚きと楽しみとを見出すことができ、画像表示装２０のエンターテイメント性をより楽しむことができる。
【００５４】
また、裸眼画像Ｂは、所定の二次元的な画像情報を有する平面画像とすることができる。この場合、観察者Ｐは、所定の平面画像が表示されたスクリーン２７上において、眼鏡１９を介して観察することにより、突如として隠し画像Ａを見ることになるので、非日常的な驚きと楽しみとを見出すことができ、画像表示装置２０のエンターテイメント性をより楽しむことができる。
【００５５】
なお、上述したいずれの画像も、静止画像とすることもできるし、動画像とすることもできる。
【００５６】
本実施形態では、制御装置２９の制御回路部２９２において、プロジェクター２１が上記画像信号を受信した後、スクリーン２７に向けて隠し画像Ａ及びマスク画像Ｃを投影するまでに要する遅延と、円偏光フィルタ２３における円偏光の切替とを同期させることができる。これによって、プロジェクター２１からの隠し画像Ａ及びマスク画像Ｃの投影と、これら画像に対する円偏光の切替とのタイミングを合致させることができ、スクリーン２７上に十分な解像度の裸眼画像Ｂを表示することができ、十分な解像度の隠し画像Ａを得ることができる。
【００５７】
具体的には、制御回路部２９２が、フレーム信号検出部２９１を介してフレーム信号を受信した時間と、光センサ２５においてプロジェクター２１から投影された画像を検知した際に生成される画像検知信号を受信した際の時間との差分（遅延）を得、制御回路部２９２が上記フレーム信号を受信した後、上記遅延に相当する時間が経過した後に上記偏光切替制御信号を送信することによって達成することができる。
【００５８】
また、本実施形態における画像表示装置２０は、単一のプロジェクターを用いて画像を投影するようにしているので、上述したスクリーン２７のような平面状の画像表示体のみでなく、立体物においても上述した裸眼画像Ｂを表示することができるとともに観察することができ、これによって隠し画像Ａをも観察することができる。
【００５９】
但し、画像表示体は、投影される隠し画像Ａ及びマスク画像Ｃの偏光状態を保持する表面処理、塗装、材質表面を有するものに限定される。例えば、シルバースクリーン、シルバー粉体塗装を施した立体物、アルミ粉末を含有した塗料を塗布した立体物、アルミ複合板、及び光沢が抑えられた表面処理が施された金属等を挙げることができる。また、対象物の色についてはシルバー色が適しているが、その他の色についても投影可能である。形状については、円柱状、平面形状を持つ立体物（壁面、床面等）、球面、自由曲面等のあらゆる形状に対応が可能である。
【００６０】
以上、本発明を上記具体例に基づいて詳細に説明したが、本発明は上記具体例に限定されるものではなく、本発明の範疇を逸脱しない限りにおいてあらゆる変形や変更が可能である。
【符号の説明】
【００６１】
１０，２０  画像表示装置
１１，第１のプロジェクター
１２  第２のプロジェクター
１３  第１の円偏光フィルタ
１４  第２の円偏光フィルタ
１７，２７  スクリーン
１８，２８  画像生成装置
１８１，２８１  展示プログラムコンテンツ
１８２，２８２  画像生成部
１９  円偏光板からなる眼鏡
２１  プロジェクター
２３  円偏光フィルタ
２５  光センサ
２９  制御装置
２９１  フレーム信号検出部
２９２  制御回路部
【図１】
2011081216.tif 000003
【図２】
2011081216.tif 000004
【図３】
2011081216.tif 000005
【図４】
2011081216.tif 000006
【図５】
2011081216.tif 000007
【図６】
2011081216.tif 000008